(57)【要約】  スライド式の個人用携帯端末機は前面に固定されて一壁面を形成するガイドフレームを具備する本体部と、後面に設置孔が形成されたハウジングおよび設置孔の内部に長さ方向に沿って配置されるガイドバーを具備するスライド部と、ガイドバーのスライドの移動を案内するための貫通ホールが形成されてガイドバーを媒介としてスライド部に装着されてガイドフレームに固定されるスライドガイドを含む。スライド部のハウジングがその本来の役割を遂行することと共にスライドモジュールの役割を遂行することができて、ガイドフレームがスライドモジュールの役割を遂行することと共に本体部を構成するハウジングの役割を遂行ことができるので個人用形態端末機をもっと小型および薄型で製作することができる。
2009533894.tif 000002
【特許請求の範囲】
【請求項１】
前面に一体的に固定されて一壁面を形成するガイドフレームを具備する本体部と、
後面に設置孔が形成されたハウジングおよび前記設置孔の内部へ長さ方向に沿って配置されるガイドバーを具備するスライド部と、
前記ガイドバーのスライド移動を案内するための貫通溝が形成され、前記ガイドバーを媒介として前記スライド部へ装着されて、前記ガイドフレームに固定されるスライドガイドと、
を含むスライド式の個人用携帯端末機。
【請求項２】
前記ガイドフレームは前記本体部と共に一体的にインサート射出成型されることを特徴とする請求項１記載のスライド式の個人用携帯端末機。
【請求項３】
前記設置孔を覆うように前記ハウジングの内側に結び合われるカバープレートをさらに含むことを特徴とする請求項１記載のスライド式の個人用携帯端末機。
【請求項４】
本体部と、
後面に設置孔が形成されたハウジングおよび前記設置孔の内部に長さ方向に沿って配置されるガイドバーを具備するスライド部と、
前記本体部に結び合われ、前記ガイドバーに沿って相対スライディングが可能に結び合われるスライドガイドと、
を含むスライド式の個人用携帯端末機。
【請求項５】
前記ガイドバーは前記ハウジングと一体的にインサート射出成型されるか、または別途に組み立たれることを特徴とする請求項４記載のスライド式の個人用携帯端末機。
【請求項６】
前記スライドガイドに結び合われるガイドフレームをさらに含み、
前記ガイドフレームは前記本体部に結び合われることを特徴とする請求項４記載のスライド式の個人用携帯端末機。
【請求項７】
前記設置孔を覆うように前記ハウジングの内面に結び合われるカバープレートをさらに含むことを特徴とする請求項６記載のスライド式の個人用携帯端末機。
【請求項８】
前記本体部に対する前記スライド部のスライディングが弾性的にで行なうように、一端が前記カバープレートに繋がれて他端が前記ガイドフレームに繋がれる弾性部材をさらに含むことを特徴とする請求項７記載のスライド式の個人用携帯端末機。
【請求項９】
前記カバープレートに繋がれる前記弾性部材の端部にはプラスティック結束口が具備され、前記カバープレートには前記プラスティック結束口が相対回転の可能に結び合われるように結合孔が形成されることを特徴とする請求項８記載のスライド式の個人用携帯端末機。
【請求項１０】
前記結合孔は前記プラスティック結束口が挿入される挿入孔と、
上記挿入孔より小さい直径を持って上記挿入孔に連通されるように形成されて上記プラスティック結束口が固定される固定孔と、
を含むことを特徴とする請求項９記載のスライド式の個人用携帯端末機。
【請求項１１】
前記プラスティック結束口は前記弾性部材と共に一体的に射出形成されることを特徴とする請求項９記載のスライド式の個人用携帯端末機。
【請求項１２】
前記ハウジングと前記カバープレートの相互接触面の中である一側に突出されるガイドピンと、
前記ハウジングと前記カバープレートの相互接触面の中で他の一側に前記ガイドピンが受容さえることができるように形成されるガイド孔と、
をさらに含むことを特徴とする請求項７記載のスライド式の個人用携帯端末機。
【請求項１３】
前記カバープレートには、前記本体部と前記スライド部を電気的に繋ぐフレクシブル印刷回路基板（ＦＰＣＢ）が通過するための通過孔が形成されることを特徴とする請求項７記載のスライド式の個人用携帯端末機。
【請求項１４】
前記スライドガイドは潤滑性の素材で形成されることを特徴とする請求項４記載のスライド式の個人用携帯端末機。
【請求項１５】
前面に一体的に固定されて一壁面を形成するガイドフレームを具備する本体部と、
ガイドバーを具備するスライド部と、
前記ガイドバーのスライド移動を案内するための貫通ホールが形成されて、前記ガイドバーを媒介で前記スライド部に装着されるスライドガイドと、
を含み、
前記スライドガイドが前記ガイドフレームに固定されながら前記スライド部が前記本体部に相対スライディングの可能に装着されることを特徴とするスライド式の個人用携帯端末機。
【請求項１６】
前記ガイドフレームは前記本体部と共に一体的にインサート射出成型されることを特徴とする請求項１５記載のスライド式の個人用携帯端末機。
【請求項１７】
前記スライド部のハウジング後面には内部と通じる設置孔が形成され、
前記ガイドバーは前記設置孔の内部に長さ方向に沿って配置されることを特徴とする請求項１５記載のスライド式個人用携帯端末機。
【請求項１８】
前記スライド部は後面に装着されるレールプレートをさらに含み、
前記ガイドバーは前記レールプレートに装着されることを特徴とする請求項１５記載のスライド式の個人用携帯端末機。
【請求項１９】
前記設置孔を覆うように前記ハウジングの内面に結び合われるカバープレートをさらに含むことを特徴とする請求項１７記載のスライド式個人用携帯端末機。
【請求項２０】
前記ガイドフレームにはスライディング方向に従ってガイドスロットが形成され、前記カバースレートには前記ガイドスロットに対応する結束フックが形成されて、
前記結束フックは前記ハウジングを通過し、前記ガイドスロットに相対スライディングの可能に選択的に結束されることを特徴とする請求項１９記載のスライド式個人用携帯端末機。
【請求項２１】
前記結束フックは前記カバープレートから折り曲げられる垂直折曲部と、
前記垂直折曲部の端部から折り曲げられる水平折曲部と、を含むことを特徴とする請求項２０記載のスライド式の個人用携帯端末機。
【請求項２２】
前記垂直折曲部の外側面に突出形成されて前記スライドガイドの内側面を維持する維持突起をさらに含むことを特徴とする請求項２１記載のスライド式個人用携帯端末機。
【請求項２３】
前記カバープレートから折り曲げられて前記スライドガイドの内側面を維持する維持片をさらに含むことを特徴とする請求項１９記載のスライド式の個人用携帯端末機。
【請求項２４】
前記スライドガイドには前記ガイドバーの周辺の形状強度を維持するための突出部が形成されて、前記カバープレートの外側には前記突出部が受容されるように陥没部が形成されることを特徴とする請求項１９記載のスライド式の個人用携帯端末機。
【請求項２５】
前記スライドガイドの外側面に形成されるガイド拘束突起と、
前記設置孔の内側面に形成されて前記ガイド拘束突起と拘束されるガイド拘束段差と、をさらに含むことを特徴とする請求項１５記載のスライド式の個人用携帯端末機。
【請求項２６】
前記スライド部と前記本体部の間に介在されるように前記スライド部と前記本体部の中である一側に結び合われるスライドダンパーをさらに含むことを特徴とする請求項１５記載のスライド式の個人用携帯端末機。
【発明の詳細な説明】
【技術分野】
【０００１】
本発明は、個人用携帯端末機に関し、より詳細には、小型化および薄型化に寄与することができるスライドモジュールが採択されたスライド式の個人用携帯端末機に関する。
【背景技術】
【０００２】
個人用携帯端末機はその外形や作動方式に伴い、フリップ式、フォルダ式（ｆｏｌｄｅｒ−ｔｙｐｅ）、スライド式（ｓｌｉｄｉｎｇ−ｔｙｐｅ）に区分されるのが一般的である。
【０００３】
このうち、スライド式の個人用携帯端末機は、２つのスライディング本体を相互に重ねて配置し、スライディング本体それぞれにはディスプレイ部およびキー入力部が同じ方向に配置されている。一般的に、スライド式の個人用携帯端末機は、前方のスライディング本体を相対的に移動させることで、後方に隠されたディスプレイ部またはキー入力部を露出する。一例として、前方のスライディング本体を上に押し上げながら後方のスライディング本体の前面に形成されたキー入力部を露出するスライド式の携帯電話がある。さらに他の例として、キー入力部が形成された前方のスライディング本体を下に移動することで、後方のスライディング本体の前面に形成されたディスプレイ部を露出する携帯電話もある。
【０００４】
スライド式の個人用携帯端末機は、上下に重なるスライディング本体を含んでいる。スライディング本体の間には両本体を連結するスライドヒンジ装置が介在しており、スライディング本体が相互結べ、相互間のスライド移動を補助することが出来る。スライドヒンジ装置に関しては、様々な構造のヒンジ装置が開示されているが、そのうちガイドバーまたはシャフトを用いるものがあり、ガイドバーを用いてスライディング本体を安定的に滑走させることができる。
【０００５】
図１は、従来のスライディングモジュールの構造を図示する斜視図である。
【０００６】
図１で図示したことのように、従来のスライディングモジュール１００はガイドレール部材１１０、ガイドレール部材１１０の上を滑走するスライド部材１２０、スライド部材１２０の滑走を支援する第１および第２トーションスプリング１３０、１４０を含む。
【０００７】
ガイドレール部材１１０は、長方形板材１１２を中心として形成されており、長方形板材１１２の対向する平行な両側面に沿って第１および第２ガイドバー１５０ａ、１５０ｂが装着されている。第１および第２ガイドバー１５０ａ、１５０ｂは、長方形板材１１２の両側面から一定間隔で離隔されており、その両端が長方形板材１１２の上下固定台１１４、１１６に固定されている。
【０００８】
また、第１および第２ガイドバー１５０ａ、１５０ｂの上下両端には、緩衝ゴム１５２a〜１５２ｂ'が差し込まれた状態で 上下固定台１１４、１１６に進入し固定されている。上下緩衝ゴム１５２ａ〜１５２ｂ'は、第１および第２ガイド１５０ａ、１５０ｂは端部に帽子のような形状であり、ガイドレール部材１１０でスライド部材１２０が上下に直接的に衝突することを防いでいる。さらには、スライド部材１２０が滑走する際に、ガイドレール部材１１０に装着された第１および第２ガイドバー１５０ａ、１５０ｂが互いに平行を維持させることが出来る。
【０００９】
長方形板材１１２の両側のヘリのあたりのほぼ中央付近から少し離れた所にはそれぞれホール(穴)が形成されており、このホールに第１トーションスプリング１３０の一側アーム１３２ａと第２トーションスプリング１４０の一側アーム１４２aが旋回可能するように挿入される。
【００１０】
第１および第２ガイドバー１５０a、１５０ｂと対向している長方形板材１１２の両側面には、第１および第２案内段差１１８ａ、１１８ｂが形成されている。具体的に説明すれば、第１ガイドバー１５０ａと対向する第１案内段差１１８ａと第２ガイドバー１５０ｂと対向する第２案内段差１１８ｂは、 長方形板材１１２の両側面から平行な直線で延長されており、突出した直線で構成されている。
【００１１】
スライド部材１２０は、ガイドレール部材１１０に直線方向に滑走することができる。このために、スライド部材１２０は、長方形基板部１２２の両側端に形成された第１および第２滑走結合部１２４ａ、１２４ｂを含む。第１および第２滑走結合部１２４ａ、１２４ｂには、第１よび第２ガイドバー１５０ａ、１５０ｂがそれぞれ貫通しており、滑走が可能なように差し込まれた第１および第２ガイド溝１２６ａ、１２６ｂが形成される。第１および第２ガイド溝１２６ａ、１２６ｂには第１および第２ガイドバー１５０ａ、１５０ｂと滑走の際に接触摩擦を減らすためのベアリング１２７ａ〜１２７ｂ'が、各々上下１組ずつ挿入される。ガイドレール部材１１０とスライド部材１２０は直接接触することなく、対応するベアリングと緩衝ゴムを利用して、衝撃の緩和および騒音の低減が可能となる。
【００１２】
第１および第２滑走結合部１２４ａ、１２４ｂには内側で向かい合って突出形の第１および第２レール１２８ａ、１２８ｂが形成されており、該第１レール１２８ａおよび第２レール１２８ｂは、ガイドレール部材１１０の第１案内段差１１８ａおよび第２案内段差１１８ｂにそれぞれ滑走が可能なように噛合する。この際、第１および第２レール１２８ａ、１２８ｂとこれと噛合する第１および第２案内段差１１８ａ、１１８ｂとの間には若干の遊隔があり、滑走の際に相互接触することはない。滑走の際には、第１および第２ガイドバー１５０ａ、１５０ｂと第１および第２ガイド溝１２６ａ、１２６ｂが主導的に相互作用しながら運動し、第１および第２案内段差１１８ａ、１１８ｂと第１および第２レール１２８ａ、１２８ｂは補助的に水平運動によって他方向に捩れたりずれたりすることを抑制し、ガイドレール部材１１０でスライド部材１２０が安定的な走行ができるようにする。
【００１３】
スライディングモジュール１００を組み立てた後に、ガイドレール部材１１０とスライド部材１２０に個人用携帯端末機の上部本体と下部本体を各々ねじを結合すれば、スライド式の 個人用携帯端末機が完成する。通常、スライド式の携帯端末は、下部本体を手で握り、カバーに該当する上部本体を上に押し上げて用いるため、下部本体に固定されたスライド部材上で上部本体に固定されたガイドレール部材が移動することができる。
【００１４】
一般的に、ガイドレール部材１１０およびスライド部材１２０は、アルミニウムで構成されており、ダイカストなとの方法によって生産される。一般的に、第１および第２ガイドバー１５０ａ、１５０ｂは、ガイドレール部材１１０とは個別に形成される。したがって、下部固定台１１６は、長方形板材１１２から分離した構造であり、第１および第２ガイドバー１５０ａ、１５０ｂを挿入した後に、長方形板材１１２に組み立てられる。また、第１および第２ガイドバー１５０ａ、１５０ｂを受容するための第１および第２ガイド溝１２６ａ、１２６ｂも、ダイカストによる形成が不可能であるため、スライド部材１２０を生産した後に、別途のホール加工によって生成しなければならない。その後に、ＰＯＭなどで構成されたベアリング１２７ａ〜１２７ｂ'を追加で挿入している。
【００１５】
しかし、従来のスライドモジュールは個人用携帯端末機を構成する上部本体および下部本体とそれぞれ異なる一部分に相当する役割だけを遂行するようになっていて、個人用携帯端末機の厚さを一定の以上を減らし難いという問題点がある。
【００１６】
すなわち、従来ではスライドモジュールのスライド部材１２０が下部本体の前面を形成するハウジングと各々別途で形成され、二重の形で結び合うように構成されるのでそれほど個人用携帯端末機の幅が厚くなる問題点がある。のみならず、ガイドレール部材１１０も同じで、上部本体の後面を形成するハウジングとそれぞれ別途で形成されていて、二重の形で結び合うように構成されるのでそれほど個人用携帯端末機の幅が厚くなる問題点がある。
【００１７】
さらに、スライド部材１２０およびガイドレール部材１１０が下部本体および上部本体の内部に受用される構造の場合は下部本体および上部本体の内部にスライド部材１２０およびガイドレール部材１１０が受用されるための一定空間が確保されなければならなかったので下部本体および上部本体の空間活用性および設計自由度が低下されていた。また、不可避に上部本体および下部本体の幅とサイズが大きくなる問題点がある。
【００１８】
また、スライド部材１２０および下部本体とガイドレール部材１１０および上部本体が各々別途で製作された後に、結合されるように構成したため、部品および組み立て工員の数が増える問題点があり、原価が上昇して作業性および生産性が低下する問題点がある。
【発明の開示】
【発明が解決しようとする課題】
【００１９】
本発明は、小型化および 薄型化に寄与することができるスライド式の個人用携帯端末機を提供することを目的とする。
【００２０】
また、本発明は個人用携帯端末機の構造および組立工程を簡素化して原価を節減して、作業性および生産性を向上させるスライド式の個人用携帯端末機を提供することを目的とする。
【００２１】
特に、本発明はスライド部のハウジングが外部を形成する本来の役割を遂行すると共にガイドバーを装着するためのスライドモジュールの役割を並行することができるようになったスライド式の個人用携帯端末機を提供することを目的とする。
【００２２】
また、本発明はスライドモジュールの役割を遂行するガイドフレームが本体部の一壁面を形成されるように本体部に一体に固定され、ハウジングの役割を並行することができるようになったスライド式個人用携帯端末機を提供することを目的とする。
【００２３】
同時に、本発明はガイドフレームを本体部に固定するための別途の工程を排除できるスライド式の個人用携帯端末機を提供することを目的とする。
【課題を解決するための手段】
【００２４】
上述した本発明の目的を達成するための本発明の好ましい実施の例によると、スライド式の個人用携帯端末機は前面に一体的に固定されて一壁面を形成するガイドフレームを具備する本体部と、後面に設置ボールが形成されたハウジングおよび設置孔の内部に長さ方向に従って配置されるガイドバーを備えるスライド部と、ガイドバーのスライド移動を案内するための貫通ホールが形成されてガイドバーを媒介としてスライド部に装着されてガイドフレームに固定されるスライドガイドを含む。
【００２５】
スライド部のハウジングはスライド部の一面をカバーして外観を形成するその本来の役割を遂行すると共にスライドモジュールの役割も遂行することができる。ガイドフレームもスライドガイドが結び合えるためのスライドモジュールの役割を遂行すると共に本体部の一面をカバーするハウジングの役割を並行することができる。
【００２６】
同時に、このような単一壁の形で形成されるスライド部のハウジングの構造およびガイドフレーム構造は共に採択されることがあり、場合によって、スライド部のハウジング構造およびガイドフレーム構造の中である一つだけが独立的に採用されることもある。
【００２７】
従来にはガイドレール部材およびスライド部材がスライド部および本体部の外観を形成するハウジングとそれぞれ別途で形成され重ねた形で結び合えるので端末機の厚さが一定の以上、小型で製作し難い問題点がある。しかし、本発明のスライド式の個人用携帯端末機ではスライド部のハウジング及び／又はガイドフレームが単一壁の形でスライド部及び／又は本体部に一体的に固定されるように構成するので端末機をもっと小型および薄型で製造することができる。
【００２８】
同時に、前述したガイドフレーム構造が単独で採用される場合、スライド部のハウジングの後面には別途のレールプレートが装着の可能で、このレールプレートを媒介としてガイドバーが装着の可能である。すなわち、スライド部のハウジング後面に別途のレールプレートが追加で装着されてスライド部の後面に二重壁の形で具現された場合にも本発明が適用することができる。
【００２９】
一方、ガイドバーはハウジングと一体的にインサート射出成型される。場合によって、ガイドバーとハウジングは別途で組み立たれることもある。また、ガイドフレームは本体部と共に一体的にインサート射出成型される。場合によって、溶接または接着などのような通常の締結方法を通じてガイドフレームが単一壁になって本体部に一体的に固定されるように構成することができる。
【発明を実施するための最良の形態】
【００３０】
以下、添付の図面に基づき、本発明の好適な実施例を詳細に説明するが、本発明がこれらの実施例によって制限または限定されることではない。本発明を説明する時、公知した機能または構成に対して具体的な説明は本発明のあらましを明瞭にするために省略することができる。
＜実施例＞
【００３１】
図２は本発明によるスライド式の個人用携帯端末機の構造を図示した斜視図である。
【００３２】
図２で図示したように、本発明による個人用携帯端末機は本体部１１０および本体部１１０に重ねることができるように配置されるスライド部１２０を含む端末機本体１００、スライド部１２０が本体部１１０に対して相対スライディングすることができるように本体部１１０とスライド部１２０の間に介在されるスライドモジュールを含む。
【００３３】
本体部１１０の中央部下側の前面には各種の情報を入力するための複数個のキーを持っているキーパッドおよび利用者の音声を伝送するための送話部が具備することができて、その内部には各種の制御をするための印刷回路基板(ＰＣＢ)に受用されることができる。
【００３４】
スライド部１２０の前面には映像情報を出力するためのディスプレイ部および相手からの音声を伝えるための受話部が具備することができる。
【００３５】
図３は本発明によるスライド式の個人用携帯端末機として、スライドモジュール２００の構造を図示した斜視図であり、図４および５は本発明によるスライド式の個人用携帯端末機としてスライドモジュール２００の構造を図示した分解斜視図である。
【００３６】
スライドモジュール２００はスライド部１２０の後面をカバーするように提供されてスライド部１２０の内部に通じる設置孔２１１が形成されたハウジング２１０、設置孔２１１の内部の長さ方向に沿って配置されるガイドバー２１３、本体部１１０結び合われて、ガイドバーに沿って相対スライディングが可能に結び合われるスライドガイド２２０を含めて構成されている。
【００３７】
ハウジング２１０はスライド部１２０の底面に対応される形で形成されて、スライド部１２０の底面をカバーするようにスライド部１２０に一体的に結び合われる。ハウジング２１０の下部の領域にはハウジング２１０の厚さ方向に沿って貫通するようになって設置孔２１１が形成されていて、設置孔の内部にはハウジング２１０の長さ方向に沿って配置されて、ハウジング２１０の幅方向に沿って離隔されるように一対のガイドバー２１３がそろっている。このようなガイドバー２１３はハウジング２１０と共に一体的に射出成型される事ができ、場合によって別途で立て組まれることができる。
【００３８】
各ガイドバー２１３にはその長さ方向に沿って相対スライディングが出来るようにスライドガイド２２０が結び合われていて、このようなスライドガイド２２０は本体部１１０に一体的に 結び合われることができる。
【００３９】
同時に、各スライドガイド２２０はハウジング２１０の設置孔２１１と対応される幅を持つように形成されるガイドフレーム２２２によって繋がって、このガイドフレームは媒介で本体部１１０に結び合われることができる。
【００４０】
このような構造によってスライドガイド２２０はガイドバー２１３に沿って相対スライディングされる事ができ、これによってスライド部１２０は本体部１１０に対して相対スライディングされることができる。
【００４１】
ここでスライドガイド２２０は通常のプラスティック材質で形成されることができるが、長い期間の広範囲な使用温度の範囲でも機械的、熱的、化学的な性質が優る、かつ顕著な寸法の安定性を持つ材料の使用が要求されるので、ポリアセタル(Ｐｏｌｙｏｘｙｍｅｔｈｙｌｅｎｅ)、ポリアミド(Ｐｏｌｙａｍｉｄｅ）およびポリアミドイミド(Ｐｏｌｙａｍｉｄｅｉｍｉｄｅ）などのような自記潤滑性が優れて優秀な耐疲労の特性を有する潤滑性の素材を利用して形成されるのが望ましい。
【００４２】
また、ハウジング２１０の内面には設置孔２１１を覆うようにカバープレート２４０が結合されうる。カバープレート２４０は設置孔２１１を覆うためにハウジング２１０の内面に結び合われてスライド部１２０の内部の各種の部品が外部の干渉および衝撃から保てるようにする。のみならず、カバープレート２４０は設置孔２１１を通してスライド部１２０の誇りなどの異物が流入するのを防ぐことができるようにするのでスライド部１２０の内部に異物が流入したことによる性能低下および故障を未然に防ぐことができる。
【００４３】
また、スライドモジュール２００には本体部１１０に対するスライド部１２０のスライディングが弾性的に出来るように弾性部材２３０が備えられ、このような弾性部材２３０としては通常のスプリングが使用されることができる。
【００４４】
弾性部材２３０の一端はカバープレート２４０に繋がって他の一端はガイドフレーム２２２に繋がってスライドガイド２２０がガイドバー２１３の一側端部の領域でガイドバー２１３の中央領域へ移動する時には弾性力を積もって臨界点を経った後には弾性部材２３０が復元されて、この復元力によってスライドガイド２２０がガイドバー２１３の他の一側へ自動的に移動することができるようにする。
【００４５】
また、カバープレート２４０に繋がる弾性部材２３０の段部にはブラスティック結束口２３２が具備することができて、カバープレート２４０にはプラスティック結束口２３２が相対回転を可能させて結び合えられるように結合孔２３４が形成されることができる。
【００４６】
結合孔２３４は大体ピーナッツ形でプラスティック結束口２３２より少し大きい直径を持つように(場合によって対応の直径を持つように)形成されて仮の挿入される挿入孔２３５および挿入孔２３５より小さい直径を持つ。また、結合孔２３４は挿入孔２３５に連通可能に形成されてプラスティック結束口２３２が固定される固定孔２３６を含めて構成されている。
【００４７】
このような構造によって比較的に大きい直径を持つ挿入孔２３５を通じてプラスティック結束口２３２が挿入される事ができる。また、プラスティック結束口２３２が挿入された後には、プラスティック結束口２３２が相対的に小さい直径をもつ固定孔２３６に移動されるのでプラスティック結束口２３２が結合孔２３４に回転可能に固定されることができる。
【００４８】
このようにプラスティック結束口２３２および 結合孔２３４は弾性部材２３０を結び合う工程がもっと便利に出来るようにして、作業性および生産性を向上させて弾性部材２３０の誤組み立てを防ぐことができる。
【００４９】
また、プラスティック結束口２３２は弾性部材２３０と共に一体に射出成型される事ができ、ポリアセタル(Ｐｏｌｙｏｘｙｍｅｔｈｙｌｅｎｅ)、ポリアミド(Ｐｏｌｙａｍｉｄｅ)およびポリアミドイミド(Ｐｏｌｙａｍｉｄｅ ｉｍｉｄｅ)などのような自記潤滑性が優れて優秀な耐疲労の特性を有する潤滑性の素材を利用して形成されるのが望ましい。
【００５０】
一方、前述および図示した本発明の実施例では本体部１１０に対したスライド部１２０のスライディングが弾性的になるように弾性力を付与するための手段として単純にトーションスプリングが適用された例を挙げて説明しているが、場合によってはトーションスプリングの代わりにモジュール化された駆動装置が適用される事ができ、駆動装置の構造および方式による本発明に制限または限定されることではない。
【００５１】
一方、スライドモジュール２００にはスライドガイド２２０がハウジング２１０から離隔される方向へ一定の以上に流動されるのを拘束するための流動防止手段が備えることができるので、流動防止手段は利用者の不注意や外部衝撃などによってスライド部１２０が本体部１１０に対してその厚さ方向に沿って流動されるのが防止することができるようにする。
【００５２】
図６は図３のI-I線の断面図である。一例で図６に図示したように流動防止手段はスライドガイド２２０の外側面に形成されるガイド拘束突起２２５、ハウジング２１０の厚さ方向に沿ってガイド拘束突起２２５と高さ差を有するようにハウジング２１０の設置孔２１１の内側面に形成されるガイドの拘束段差２１７を含めて構成されることができる。場合によってガイドの拘束突起部２２５およびガイドの拘束段差部２１７の形状およびサイズが変更される事ができ、これによって本発明に制限または限定されることではない。
【００５３】
一方、ハウジング２１０とカバープレート２４０の相互接触面の中である一側に突出し形成されるガイドピン２４４が形成される事ができ、ハウジング２１０とカバープレート２４０の相互接触面の中で他の一側にガイドピン２４４が受用されるように形成されるガイド穴２１５が形成されることができる。以下ではカバープレート２４０にガイドピン２４４が形成されて、ハウジング２１０にガイド穴２１５が形成された例を挙げて説明することにする。
【００５４】
図７は図３のII-II線の断面図である。図７に図示したように、カバープレート２４０にガイドピン２４４が突出し形成されていて、ハウジング２１０にはガイドピン２４４が受容されるようにガイド孔２１５が形成されている。
【００５５】
ガイドピン２４４およびガイド孔２１５はカバープレート２４０がハウジング２１０に結び合われる時に基準点の役割をしながら、作業者が容易にカバープレート２４０の装着位置を認識しつつ結び合えるようにする。のみならず、ガイドピン２４４およびガイド孔２１５はカバープレート２４０がスクリュー締結などの締結方法を通じて締結される前にハウジング２１０上に配置された位置が維持されるようにする。
【００５６】
また、カバープレート２４０の中央部の領域には所定の大きさを持つ通過孔２４２が厚さ方向に沿って貫通し形成されている。この通過孔２４２を通じては本体部１１０とスライド部１２０を電気的に連結するためのフレクシブル印刷回路基板(Ｆｌｅｘｉｂｌｅ ＰＣＢ；ＦＰＣＢ)が通過することができる。
【００５７】
一方、図８は本発明の他の実施例によるスライド式の個人用携帯端末機の構造を図示した斜視図である。
【００５８】
図８で図示したように、本発明の他の実施例による個人用携帯端末機は本体部１１０および本体部１１０に重ねることができるように配置されるスライド部１２０を含める端末機の本体１００、スライド部１２０が本体部１１０に対して相対スライディングされることができるように本体部１１０とスライド部１２０の間に介在されるスライドモジュール２００を含む。
【００５９】
本体部１１０の中央部の下側前面には各種の情報を入力するための複数個のキーを持つキーパッドおよび使用者の音声を伝送するための送話部が具備されていて、その内部に各種の制御をするための印刷回路基板(ＰＣＢ)が受用されることができる。
【００６０】
スライド部１２０の前面には映像情報を出力するためのディスプレイ部および相手からの音声を伝達するための受話部が具備されることができる。
【００６１】
図９および図１０は本発明の他の実施例によるスライド式の個人用携帯端末機として、スライドモジュールの構造を図示した斜視図であり、図１１は本発明の他の実施例によるスライド式の個人用携帯端末機として、スライドモジュールの構造を図示した分離斜視図である。
【００６２】
また、図１２は本発明の他の実施例によるスライド式の個人用携帯端末機としてカバープレートの構造を図示した斜視図であり、図１３および図１４は本発明の他の実施例によるスライド式の個人用携帯端末機としてガイドフレームの構造を図示した平面図および側面図であり、図１５は図１０のIII-III線の断面図である。
【００６３】
図９ないし図１５で図示したように、スライドモジュール２００は前面に一体的に固定されて一壁面を形成するガイドフレーム２６０を含む本体部１１０、ガイドバー２１３を含むスライド部１２０、ガイドバー２１３のスライド移動を案内するための貫通ホール２２１を含んでガイドバー２１３を媒介としてスライド部１２０に装着されるスライドガイド２２０を含んで、スライドガイド２２０がガイドフレーム２６０に固定されながらスライド部１２０が本体部１１０に相対スライディングが可能に装着されるように構造されている。
【００６４】
ガイドバー２１３はスライド部１２０の後面から突出されるか、又はスライド部１２０の内部に受容される構造に形成されることができる。場合によっては別途のレールプレート(例えば、図１のガイドレール部材)を通じてスライド部１２０の後面に二重に重なっている形で結び合われるように構成することができる。このような構造は別途で図示してなかったが、スライド部１２０の後面がハウジングおよびレールプレートによって二重壁の構造で形成された場合を言う。
【００６５】
以下では、スライド部１２０のハウジング２１０の後面に内部と通じる設置孔２１１が形成されて、設置孔２１１の内部へ長さ方向に沿ってガイドバー２１３が配置されるように構造された例を挙げて説明するとする。
【００６６】
ハウジング２１０はスライド部１２０の外観を形成するが、ハウジング２１０の後面にはスライド部１２０の内部と通じる設置孔２１１が形成されていて、設置孔２１１の内部にはスライド部１２０の長さ方向に沿って配置されて、スライド部１２０の幅方向に沿って離隔されるように一対のガイドバー２１３が具備されている。このようなガイドバー２１３はハウジング２１０と共に一体的に射出成型されることができ、場合によってはハウジング２１０に別途で結び合われることができる。
【００６７】
各ガイドバー２１３にはその長さ方向に沿って相対スライディングが可能にスライドガイド２２０が結び合われていて、このようなスライドガイド２２０が本体部１１０に一体的に固定されるガイドフレーム２６０に固定されながらスライド部１２０が本体部１１０に相対スライディングが可能に装着されるように構成されている。同時に各スライドガイド２２０にはガイドバー２１３のスライド移動を案内するための貫通ホール２２１が形成されている。
【００６８】
ガイドフレーム２６０は本体部の一壁面になって本体部１１０の外観を形成するハウジング１１５の前面一部をカバーするように本体部１１０に一体的に固定されている。
【００６９】
ガイドフレーム２６０はスクリュー締結が可能する通常の金属材質で形成されることができ、場合によってはハウジング１１５より相対的に大きい強さを持つプラスティックまたは樹脂などの材質でも形成されることができる。このようなガイドフレーム２６０は本体部１１０のハウジング１１５と共にインサート射出成型されてハウジング１１５に一体的に固定されることができ、場合によってはインサート射出の以外の方法を通じてガイドフレームが単一壁でハウジングの一壁面を形成するように構成することができる。例えば、ガイドフレームは溶接または接着などのような方法を通じて単一壁の形で本体部に固定されることができ、その以外の通常の締結および接着方法などを通じて本体部に一体的に固定されるように構成することができる。
【００７０】
このような構造によってスライドガイド２２０はガイドバー２１３に沿って相対スライディングすることができ、これによってスライド部１２０は本体部１１０対して相対スライディングされることができる。
【００７１】
ここで、スライドガイド２２０は通常のプラスティック材質で形成されることができるが、長い期間の広範囲な使用温度範囲でも機械的、熱的、化学的な性質が優れる、かつ顕著な寸法安定性を持つ材料の使用が要求されるので、ポリアセタル（Ｐｏｌｙｏｘｙｍｅｔｈｙｌｅｎｅ)、ポリアミド（Ｐｏｌｙａｍｉｄｅ）およびポリアミドイミド（Ｐｏｌｙａｍｉｄｅｉｍｉｄｅ）などのような自記潤滑性が優れて優秀な耐疲労の特性を持つ潤滑性の素材を利用して形成されるのが望ましい。
【００７２】
ハウジング２１０の内面には設置孔２１１を覆うためのカバープレート２４０が結び合われることができる。カバープレート２４０は設置孔２１１を覆うようにハウジング２１０の内面に結び合われてスライド部１２０の内部の各種部品が外部の干渉および衝撃から保護されることができるようにする。たけではなく、カバープレート２４０は設置孔２１１を通じてスライド部１２０のほこりなどの異物が流入されるのを防止することができるようにしてスライド部１２０の内部へ異物などが流入さえることによる性能低下および故障を未然に防止することができるようにする。
【００７３】
同時に本体部１１０とスライド部１２０の間の遊隔が一定の以上に開くのを安定的に拘束することができるようにガイドフレーム２６０にはスライド方向に沿ってガイドスロット２６６が形成されることができて、カバープレート２４０にはガイドスロット２６６に相対スライディングが可能に結束されるように結束フック２４５が形成されることができる。
【００７４】
ガイドスロット２６６および結束フック２４５はスライド部のスライディング方向に沿って相対スライディングが可能で、選択的に厚さ方向にそって拘束が可能に様々な形状および構造で形成されることができ、この形状および構造によって本発明が制限または限定されることではない。
【００７５】
以下ではカバープレート２４０に大体“Ｌ”形状の結束フック２４５が形成されて、ガイドフレーム２６０に結束フック２４５が厚さ方向に沿って選択的に拘束が可能に受容されてスライド移動ができるようにガイドスロット２６６が形成された例を挙げて説明することにする。
【００７６】
すなわち、結束フック２４５はカバープレート２４０から折り曲げて形成される垂直折曲部２４６および垂直折曲部２４６の断部から折り曲げられる水平折曲部２４７を含んで大体“Ｌ”の形状になるように形成されている。このような結束フック２４５はカバープレート２４０の一部を切開した後、折り曲げて形成されることができ、場合によって別途で結合または溶接などの方法を通じて付着し形成することもできる。
【００７７】
ガイドスロット２６６は水平折曲部２４７が進入する拡張部２６７および水平折曲部２４７が拘束されながら垂直折曲部２４６が案内される案内部２６８を含んで構成されている。拡張部２６７は水平折曲部２４７が進入可能な大きさ(水平折曲部２４７のサイズと同一または大きい)に拡張し形成されて、案内部２６８は水平折曲部２４７より小さいサイズで水平折曲部２４７が抜けられない状態で垂直折曲部２４６が案内されることができるように拡張部２６７の両端部に連通されるように形成される。望ましいのは外力が加わっていない正常状態で結束フック２４５の水平折曲部２４７がガイドフレーム２６０に接触されないように少し離隔された状態に配置される。
【００７８】
このように本体部１１０およびスライド部１２０は結束フック２４５およびガイドスロット２６６を通じて厚さ方向に沿って結束さえるので、使用者の不注意や外部衝撃などによって本体部１１０とスライド部１２０の間に遊隔が一定の以上に開くことを防止することができる。その上、結束フック２４５およびガイドスロット２６６によって固定構造は後述するガイド拘束突起２３５およびガイド拘束段差２１７による固定構造より相対的に形状強度および設置強度が高い部分、つまり、カバープレート２４０およびガイドフレーム２６０を通じて出来るようにする。よって、より安定的に本体部１１０とスライド部１２０の遊隔が一定して維持することができるようにする。
【００７９】
同時に、垂直折曲部２４６の外側面にはスライドガイド２２０の内側面を支持してスライドガイド２２０がスライド部１２０の幅方向に沿って内側へ一定の以上に押されたり遊動したりするのを防止するために支持突起２４８が形成されることができる。また、カバープレート２４０にもスライドガイド２２０の内側面を支持するための支持片２４９が形成されることができ、支持片２４９は前述した結束フック２４５と同一また類似の方法で形成されることができる。
【００８０】
本発明の実施例では支持突起２４８および支持片２４９が共に具備された例を挙げて説明をしているが、場合によっては支持突起２４８と支持片２４９の中である一だけを単独で使用することができる。
【００８１】
また、スライドガイド２２０およびカバープレート２４０による高さが最小化されるようにカバープレート２４０にはスライドガイド２２０の突出部２２７が受容可能に陥没部２４４が形成されることができる。
【００８２】
すなわち、ガイドバー２１３が通過するスライドガイド２２０にはガイドバー２１３が通過する周辺部位の一定の形状強度が維持されることができるように突出部２２７が形成されている。カバープレート２４０には突出部に対応する形の陥没部２４４が形成されることができ、この陥没部２４４を通じて突出部２２７が受容されることができる。従って、カバープレート２４０の中で、陥没部２４４の部分を除いた他の部分は最大にスライドガイドに密着されるように配置することができ、カバープレート２４０が具備されるのによる厚さの増加が最小化されることができる。付加的に陥没部２４４に受容された突出部２２７によりスライドガイド２２０は幅方向に沿う流動のなしに安定的に維持されることができる。
【００８３】
スライドモジュール２００には本体部１１０に対したスライド部１２０のスライディングが弾性的にできるように弾性部材２３０が具備されることができる。このような弾性部材２３０としては通常のスプリングなどが適用されることができ、スプリングの形状および個数による本発明が制限また限定されることではない。
【００８４】
弾性部材２３０の一端はカバープレート２４０に繋がれて、他の一端はガイドフレーム２６０に繋がれる。よって、スライドガイド２２０がガイドバー２１３の一側の端部領域からガイドバー２１３の中央領域へ移動する時には弾性力を蓄積して、臨界点を過ぎてからは弾性部材２３０が復元されて、この復元力によるスライドガイド２２０がガイドバー２１３の他側の端部へ自動的に移動できるようにする。
【００８５】
また、カバープレート２４０に繋がれる弾性部材２３０の端部にはプラスティック結束口２３２が具備されてことができ、カバープレート２４０にはプラスティック結束口２３２が相対回転の可能に結び合われるように結合孔２３４が形成されることができる。
【００８６】
結合孔２３４は大体ピーナッツ形でプラスティック結束口２３２より少し大きい直径を持つように(場合によっては対応される直径を持つように)形成される挿入孔２３５および挿入孔２３５より小さい直径を持って挿入孔２３５に連通されるように形成されてプラスティック結束口２３２が固定される固定孔２３６を含んで構成されている。この時に、固定孔２３６はプラスティック結束口２３２が挿入孔２３５側から離脱されるのを防止することができるように少なくとも半円より大きい円周面を持つように形成されるのが望ましい。
【００８７】
このような構造によって比較的に大きい直径を持つ挿入孔２３５を通じてプラスティック結束口２３２が挿入されることができ、プラスティック結束口２３２が挿入された後には相対的に小さい直径を持つ固定孔２３６へプラスティック結束口２３２が移動されることになるのでプラスティック結束口２３２が結合孔２３４に回転可能に固定されることができる。
【００８８】
このようにプラスティック結束口２３２および結合孔２３４は弾性部材２３０を結び合う工程がより便利にできるようにして、作業性および生産性を向上させて、弾性部材２３０の誤組立が防止することができるようにする。
【００８９】
同時にプラスティック結束口２３２は弾性部材２３０と共に一体的に射出成型されることができ、ポリアセタル(Ｐｏｌｙｏｘｙｍｅｔｈｙｌｅｎｅ)、ポリアミド(Ｐｏｌｙａｍｉｄｅ)およびポリアミドイミド(Ｐｏｌｙａｍｉｄｅ ｉｍｉｄｅ)などのような自記潤滑性が優れて優秀な耐疲労の特性を持つ潤滑性の素材を利用して形成されるのが望ましい。
【００９０】
スライドモジュール２００にはスライドガイド２２０が本体部１１０から隔離される方向へ一定の以上が遊動されるのを拘束するためのガイド拘束突起２２５およびガイド拘束段差２１７が形成されることができる。これを通じて使用者の不注意や外部衝撃などによってスライド部１２０が本体部１１０に対してこの厚さの方向に沿って一定の以上の遊動されるのが防止されることができる。
【００９１】
すなわち、スライドガイド２２０の外側面にはガイド拘束突起２２５が形成されることができ、ハウジング２１０の設置孔２１１の内側面にはガイド拘束突起２２５と高さの差を持ってガイド拘束突起２２５と重畳の可能に配置されるようにガイド拘束の段差２１７が形成されることもできる。ガイド拘束突起２２５とガイド拘束段差２１７は正常の状態では若干隔離された形で配置されていた後、使用者の不注意や外部衝撃によってスライド部１２０が本体部１１０に対してこの厚さの方向に沿って一定の以上が遊動する時には厚さの方向に沿ってお互いに拘束されることができる。場合によっては要求される条件および設計仕様などによってガイド拘束突起２２５およびガイド拘束段差２１７の形状および大きさが変更されることができ、これによって本発明が限定または制限されることではない。
【００９２】
一方、スライド部１２０と本体部１１０の相互接触面の間には本体部１１０に対したスライド部１２０のスライディングが円滑にできるようにスライドダンパー２５０が介在されることができる。
【００９３】
すなわち、スライドダンパー２５０はポリアセタル(Ｐｏｌｙｏｘｙｍｅｔｈｙｌｅｎｅ)、ポリアミド(Ｐｏｌｙａｍｉｄｅ)およびポリアミドイミド(Ｐｏｌｙａｍｉｄｅ ｉｍｄｅ)などのような自記潤滑性が優れて優秀な耐疲労の特性を持つ潤滑性の素材で形成され、スライド部１２０のハウジング２１０と本体部１１０の相互接触面の間に介在されて本体部１１０に対したスライド部１２０のスライディングがもっと柔らかくて円滑にできるようにする。
【００９４】
以下ではスライドダンパー２５０がハウジング２１０と本体部１１０の間で介在されるようにハウジング２１０の外側に結び合われた例を挙げて説明することとする。この時に、スライドダンパー２５０はその一側に形成された結合突起２５１がハウジング２１０に形成された結合溝２１５に受容されるようになってから、ハウジング２１０上に結び合われることができる。
【００９５】
また、ハウジング２１０にはスライドダンパー２５０が受容されることができるようにダンパー受容溝が形成されることができる。本実施例ではハウジング２１０にダンパー受容溝が形成された例を挙げて説明しているが、場合によっては本体部１１０にダンパー受容溝を形成したりハウジング２１０と本体部１１０の相互対向面の両側に各々のダンパー受容溝を形成したりすることができる。
【００９６】
同時に本発明の実施例ではスライドダンパー２５０がハウジング２１０の両側部に各々配置されて二つに分離された構造で構成された例を挙げて説明しているが、場合によっては一体形の構造および三つ以上に分離された構造で構成されることができ、このようなスライダダンパー２５０の形状および構造は要求される条件および設計仕様などによって様々に変更されることができる。
【００９７】
スライドガイド２２０にはガイド突起２２４が突出し形成されることができ、ガイドフレーム２６０にはガイド突起２２４が受容されることができるようにガイド溝２６４が形成されることができる。このようなガイド突起２２４およびガイド溝２６４はスライドガイド２２０とガイドフレーム２６０を結び合う時に基準点の役割をして作業者がスライドガイド２２０に対したガイドフレーム２６０の装着位置を容易に認知して結び合うことができるようにする。のみならず、ガイド突起２２４およびガイド溝２６４はガイドフレーム２６０とスライドガイド２２０がスクリュー締結などの締結方法を通じて締結される前にその配置された位置が維持されることができるようにする。
【００９８】
また、カバープレート２４０の中央部領域およびガイドフレームの中央部領域にはそれぞれの所定の大きさを持つ通過孔２４２、２６２が厚さ方向に沿って貫通し形成されている。この通過孔２４２、２６２を通じては本体部１１０とスライド部１２０を電気的に繋ぐためのフレクシブル印刷回路基板(Ｆｌｅｘｉｂｌｅ ＰＣＢ；ＦＰＣＢ)が通過できる。
【００９９】
以上で見たことのように本発明によると、単一壁に形成されるスライド部のハウジングがスライド部の一面をカバーして外観を形成するその本来の役割を遂行することと同時にスライドモジュールの役割を共に遂行することができるようにする。よって、端末機が一定の形状強度を維持しながら薄い厚さで形成されることができるようにする。
【０１００】
また本発明によると、ガイドフレームが本体部の一壁面を形成するように本体部に一体的に固定されてスライドモジュールの役割を遂行することと同時にハウジングの役割を遂行することができるようにして、端末機が一定の形状強度を維持しながら薄い厚さで形成されることができるようにする。
【０１０１】
それ故に本発明は最近のスリム化の趨勢に従って個人用携帯端末機を小型および薄型で具現することができるようにすると急変する消費者の欲を充足させることができる。
【０１０２】
のみならずこのような構造は個人用携帯端末機の構造および組立工程を簡素化することができるようにして原価を節減して作業性および生産性を向上させることができる。
【０１０３】
以上では本発明の好ましい実施例を参照して説明したが、該当の技術分野において熟練した当業者にとっては下記の請求範囲に記載された本発明の思想および領域から離れない範囲内で本発明を多様に修正および変更させることができるのを理解することができるはずである。
【図面の簡単な説明】
【０１０４】
【図１】従来のスライドモジュールの構造を図示した斜視図である。
【図２】本発明によるスライド式の個人用携帯端末機の構造を図示した斜視図である。
【図３】本発明によるスライド式の個人用携帯端末機として、スライドモジュールの構造を図示した斜視図である。
【図４】本発明によるスライド式の個人用携帯端末機として、スライドモジュールの構造を図示した分解斜視図である。
【図５】本発明によるスライド式の個人用携帯端末機として、スライドモジュールの構造を図示した分解斜視図である。
【図６】図３のI-I線の断面図である。
【図７】図３のII-II線の断面図である。
【図８】本発明の他の実施例によるスライド式の個人用携帯端末機の構造を図示した斜視図である。
【図９】本発明の他の実施例によるスライド式の個人用携帯端末機として、スライドモジュールの構造を図示した斜視図である。
【図１０】本発明の他の実施例によるスライド式の個人用携帯端末機として、スライドモジュールの構造を図示した斜視図である。
【図１１】本発明の他の実施例によるスライド式の個人用携帯端末機として、スライドモジュールの構造を図示した分離斜視図である。
【図１２】本発明の他の実施例によるスライド式の個人用携帯端末機として、カバープレートの構造を図示した斜視図である。
【図１３】本発明の他の実施例によるスライド式の個人用携帯端末機として、ガイドフレームの構造を図示した平面図である。
【図１４】本発明の他の実施例によるスライド式の個人用携帯端末機として、ガイドフレームの構造を図示した側面図である。
【図１５】図１０のIII-III線の断面図である。
【図１】
2009533894.tif 000003
【図２】
2009533894.tif 000004
【図３】
2009533894.tif 000005
【図４】
2009533894.tif 000006
【図５】
2009533894.tif 000007
【図６】
2009533894.tif 000008
【図７】
2009533894.tif 000009
【図８】
2009533894.tif 000010
【図９】
2009533894.tif 000011
【図１０】
2009533894.tif 000012
【図１１】
2009533894.tif 000013
【図１２】
2009533894.tif 000014
【図１３】
2009533894.tif 000015
【図１４】
2009533894.tif 000016
【図１５】
2009533894.tif 000017
【国際調査報告】
2009533894.tif 000018
2009533894.tif 000019